(57)【要約】【課題】電子化した問診票又は同意書を含む患者情報について問診内容、同意内容の修正及び追加が容易にできるとともに、電子化した問診票又は同意書を含む患者情報の内容の真正性を担保することができるシステムを提供する。【解決手段】患者情報を記憶する記憶手段と、出力手段と、入力手段と、撮像手段と、患者情報及び撮像された画像を含む情報に電子署名を付与し記憶手段に記憶させる格納手段とを有する。出力手段は印刷手段及び表示手段により構成され、入力手段は読込手段及び手入力受付手段により構成されている。読込手段は印刷した患者情報に対する情報の追加又は修正に係る入力を受け付けるように構成され、手入力手段は表示した患者情報に対する操作者による情報の追加又は修正に係る入力を受け付けるように構成されている。【選択図】図１
2020052642.tif 000002
【特許請求の範囲】
【請求項１】
サーバと操作端末とを備えるコンピュータシステムにおいて、
前記サーバは、患者ごとの問診内容又は同意内容を含む患者情報を時系列で記憶する記憶手段を有し、
前記操作端末は、
前記患者の過去の前記患者情報を前記記憶手段から取得し、当該取得した患者情報を出力する出力手段と、
操作者による前記患者情報の入力を受け付ける入力手段と、
前記操作者を撮像する撮像手段と、
前記患者情報と前記撮像された画像とを含む情報に電子署名を付与し前記記憶手段に記憶させる格納手段とを有し、
前記出力手段は、前記取得した患者情報を印刷する印刷手段と、前記取得した患者情報を表示する表示手段とにより構成され、
前記入力手段は、前記印刷手段により印刷された患者情報を読み込む読込手段と、前記操作者による手入力を受け付ける手入力受付手段とにより構成され、
前記読込手段は、前記印刷手段が印刷した前記患者情報に対する操作者による情報の追加又は修正に係る入力を受け付けるように構成され、
前記手入力受付手段は、前記表示手段が表示した前記患者情報に対する操作者による情報の追加又は修正に係る入力を受け付けるように構成されていることを特徴とする患者の関与する文書を電子的に扱うシステム。
【請求項２】
請求項１に記載のシステムにおいて、
前記格納手段は、前記患者情報と前記撮像された画像とを含む情報にタイムスタンプを付与し前記記憶手段に記憶させるように構成されていることを特徴とするシステム。
【請求項３】
請求項２に記載のシステムにおいて、
前記電子署名と前記タイムスタンプとを用いて前記患者情報の改ざんの有無を検知する検知手段を備えることを特徴とするシステム。
【請求項４】
請求項１〜３の何れかに記載のシステムにおいて、
前記手入力受付手段は、前記操作者による文字の入力を受け付け、当該受け付けた文字の筆跡を前記患者情報の一部として認識するように構成されていることを特徴とするシステム。
【請求項５】
入力手段と、撮像手段と、出力手段とを有する操作端末と、当該操作端末から入力された患者ごとの問診内容又は同意内容を含む患者情報を時系列で記憶する記憶手段を有するサーバとを備えるコンピュータシステムに、
前記患者の過去の前記患者情報を前記記憶手段から取得するステップと、
前記取得した患者情報を印刷することにより出力するステップと、
前記取得した患者情報を表示することにより出力するステップと、
前記印刷された患者情報に対する操作者による情報の追加又は修正に係る入力を前記印刷された印刷物を読み込むことにより受け付けるステップと、
前記表示された患者情報に対する前記操作者による情報の追加又は修正に係る入力を前記操作者による手入力により受け付けるステップと、
前記操作者を撮像するステップと、
前記患者情報と前記撮像された画像とを含む情報に電子署名を付与し前記記憶手段に記憶させるステップと、
を実行させることを特徴とする患者の関与する文書を電子的に扱うプログラム。
【請求項６】
入力手段と、撮像手段と、出力手段とを有する操作端末と、前記操作端末から入力された患者ごとの問診内容又は同意内容を含む患者情報を時系列で記憶する記憶手段を有するサーバとを備えるコンピュータシステムが実行する方法であって、
前記患者の過去の前記患者情報を前記記憶手段から取得するステップと、
前記取得した患者情報を印刷することにより出力するステップと、
前記取得した患者情報を表示することにより出力するステップと、
前記印刷された患者情報に対する操作者による情報の追加又は修正に係る入力を前記印刷された印刷物を読み込むことにより受け付けるステップと、
前記表示された患者情報に対する前記操作者による情報の追加又は修正に係る入力を前記操作者による手入力により受け付けるステップと、
前記操作者を撮像するステップと、
前記患者情報と前記撮像された画像とを含む情報に電子署名を付与し前記記憶手段に記憶させるステップと、
を含むことを特徴とする患者の関与する文書を電子的に扱う方法。
【発明の詳細な説明】
【技術分野】
【０００１】
本発明は、サーバと操作端末とを備えるコンピュータシステムによる患者の関与する文書を電子的に扱うシステム、プログラム及び方法に関する。
【背景技術】
【０００２】
従来、患者が書いた問診票用紙などの書式を読み取って画像データとして電子化する患者情報データベース管理システムが知られている（例えば、特許文献１参照）。
【０００３】
特許文献１のシステムによれば、端末機に接続された読み取り装置により問診票用紙などの書式を読み取って画像データとして電子化し、医師や薬剤師などであるユーザは当該電子化した書式を閲覧し、必要に応じてカラーのマーカーや線による囲み、或いは所定の記号等を書き込むことができる。
【先行技術文献】
【特許文献】
【０００４】
【特許文献１】特開２００５−２５２７７号公報
【発明の概要】
【発明が解決しようとする課題】
【０００５】
問診票及び同意書は、一度作成した後に、問診内容、同意内容の修正及び追加がなされうる。
【０００６】
しかしながら、特許文献１のシステムにおいては、医師や薬剤師などであるユーザは読み取った問診票などの書式の電子データの任意の箇所に必要に応じてカラーのマーカーや線による囲み、或いは所定の記号等を書き込むことができるにとどまり、問診内容、同意内容の修正及び追加は考慮されていない。
【０００７】
また、病院を訪れる患者は、コンピューターの操作に慣れた方、コンピューターの操作が不得手な方などさまざまである。
【０００８】
しかしながら、特許文献１のシステムにおいては、医師や薬剤師などの専門家による操作のみが考慮されている。そのため、問診内容、同意内容の修正及び追加の機能を加えたとしても、コンピューターの操作が不得手な患者にとっては、その操作が困難か、あるいはそもそも操作ができず、問診内容、同意内容の修正及び追加ができないおそれがある。
【０００９】
さらに、問診票及び同意書の記載内容は、病状に関する患者本人の認識、治療方針に対する患者本人の同意の意思を記録する重要な資料であるため、病院は、当該問診票や同意書を作成した人が患者本人であること及び当該問診票及び同意書の内容が改ざんされていないことを担保することが求められる。
【００１０】
しかしながら、特許文献１のシステムにおいては、ユーザである医師や薬剤師などのユーザ認証の機能及び当該システムの機能を用いた正当な操作の履歴を記録する機能を備えるにとどまり、当該問診票や同意書を作成した人が患者本人であること及び電子化した問診票及び同意書の内容が改ざんされていないことを担保する機能を備えないので、電子化した問診票及び同意書の内容の真正性に疑問が残る。
【００１１】
以上の事情に鑑みて、本発明は、電子化した問診票又は同意書を含む患者情報について問診内容、同意内容の修正及び追加が容易にできるとともに、電子化した問診票又は同意書を含む患者情報の内容の真正性を担保することができる患者の関与する文書を電子的に扱うシステムを提供することを目的とする。
【課題を解決するための手段】
【００１２】
本発明による患者の関与する文書を電子的に扱うシステムは、
サーバと操作端末とを備えるコンピュータシステムにおいて、
前記サーバは、患者ごとの問診内容又は同意内容を含む患者情報を時系列で記憶する記憶手段を有し、
前記操作端末は、
前記患者の過去の前記患者情報を前記記憶手段から取得し、当該取得した患者情報を出力する出力手段と、
操作者による前記患者情報の入力を受け付ける入力手段と、
前記操作者を撮像する撮像手段と、
前記患者情報と前記撮像された画像とを含む情報に電子署名を付与し前記記憶手段に記憶させる格納手段とを有し、
前記出力手段は、前記取得した患者情報を印刷する印刷手段と、前記取得した患者情報を表示する表示手段とにより構成され、
前記入力手段は、前記印刷手段により印刷された患者情報を読み込む読込手段と、前記操作者による手入力を受け付ける手入力受付手段とにより構成され、
前記読込手段は、前記印刷手段が印刷した前記患者情報に対する操作者による情報の追加又は修正に係る入力を受け付けるように構成され、
前記手入力受付手段は、前記表示手段が表示した前記患者情報に対する操作者による情報の追加又は修正に係る入力を受け付けるように構成されていることを特徴とする。
【００１３】
本発明のシステムのサーバは、患者ごとの問診内容又は同意内容を含む患者情報を時系列で記憶する記憶手段を有している。
【００１４】
操作端末は、任意の患者の過去の患者情報をサーバから取得して当該患者情報を出力する出力手段と、操作者による前記患者情報の入力を受け付ける入力手段と、操作者を撮像する撮像手段と、患者情報と撮像された画像とを含む情報に電子署名を付与し記憶手段に記憶させる格納手段とを有している。
【００１５】
本構成のシステムによれば、入力された患者情報だけでなく、操作端末の撮像手段で撮像した操作者である患者本人又は本人の同意を得た代理人等である操作者の画像を含む情報に電子署名を付与しサーバの記憶手段に記憶させる。
【００１６】
これにより、患者情報を作成した後に当該患者情報が改ざんされていないことを保証できるのみならず、患者本人又は本人の同意を得た代理人等が当該患者情報を入力したことも併せて保証することが可能となるので、患者情報の真正性を確実に担保することができる。
【００１７】
また、操作端末の出力手段は、サーバから取得した患者情報を印刷する印刷手段と、サーバから取得した患者情報を表示する表示手段により構成されている。
【００１８】
さらに、操作端末の入力手段は、印刷手段により印刷された患者情報を読み込む読込手段と、操作者による手入力を受け付ける手入力受付手段とにより構成されており、読込手段が、印刷手段が印刷した患者情報に対する操作者による情報の追加又は修正に係る入力を受け付けるように構成されており、手入力手段が、表示手段が表示した患者情報に対する操作者による情報の追加又は修正に係る入力を受け付けるように構成されている。
【００１９】
そのため、電子化した問診票又は同意書を含む過去の患者情報を印刷して当該印刷された患者情報に物理的に問診内容又は同意内容の追加又は修正を行い当該修正又は追加後の問診票又は同意書を読み込ませる方法によっても、また電子化した問診票又は同意書を含む過去の患者情報をコンピューターのディスプレイなどに表示して当該表示された患者情報に電子的に問診内容又は同意内容の追加又は修正を行う方法によっても、問診内容又は同意内容の追加又は修正を行うことができる。
【００２０】
これにより、コンピューターの操作に慣れた方は電子的な方法で、コンピューターの操作が不得手な方は印刷物を介した物理的な方法で、それぞれ電子化した問診票又は同意書を含む患者情報について問診内容、同意内容の修正及び追加が容易にできる。
【００２１】
このように、本発明によれば、電子化した問診票又は同意書を含む患者情報について問診内容、同意内容の修正及び追加が容易にできるとともに、電子化した問診票及び同意書を含む患者情報の内容の真正性を確実に担保することができる。
【００２２】
本発明によるシステムにおいて、
前記格納手段は、前記患者情報と前記撮像された画像とを含む情報にタイムスタンプを付与し前記記憶手段に記憶させるように構成されていることが好ましい。
【００２３】
問診票及び同意書含む患者情報を電子化して管理するにあたり、その内容だけでなく、当該患者情報が記録された日時がいつであるかを正確に記録することも、電子化した問診票及び同意書を含む患者情報の内容の真正性を担保する上で重要である。
【００２４】
本発明のシステムは、入力された患者情報と操作端末の撮像手段で撮像した患者本人又は本人の同意を得た代理人等である操作者の画像を含む情報に電子署名を付与することに加え、タイムスタンプを付与してサーバの記憶手段に記憶させる。
【００２５】
これにより、当該患者情報が記録された日時がいつであるかを正確に記録することができ、当該日時から当該患者情報が改ざんされていないことを保証することが可能となるので、患者情報の真正性をより確実に担保することができる。
【００２６】
このように、本発明によれば、電子化した問診票及び同意書を含む患者情報の内容の真正性をより確実に担保することができる。
【００２７】
本発明によるシステムにおいて、
前記電子署名と前記タイムスタンプとを用いて前記患者情報の改ざんの有無を検知する検知手段を備えることが好ましい。
【００２８】
本発明のシステムは、電子署名とタイムスタンプとを用いて患者情報の改ざんの有無を検知することができる。
【００２９】
これにより、操作者は、当該患者情報が記録された日時から当該患者情報が改ざんされていないことを随時に簡便に確認することができるので、安心して当該システムを利用することができる。
【００３０】
このように、本発明によれば、操作者に安心感を持たせつつ、電子化した問診票及び同意書を含む患者情報の内容の真正性を確実に担保することができる。
【００３１】
本発明によるシステムにおいて、
前記手入力受付手段は、前記操作者による文字の入力を受け付け、当該受け付けた文字の筆跡を前記患者情報の一部として認識するように構成されていることが好ましい。
【００３２】
筆跡は、個人特有の特徴を有するものであるので、電子化した問診票及び同意書を含む患者情報の内容の真正性を担保する上で重要な情報である。
【００３３】
本発明のシステムの手入力受付手段は、操作者による文字の入力を受け付けることができる。また、当該受け付けた文字の筆跡を患者情報の一部として認識することができる。
【００３４】
これにより、操作者は、当該患者情報が患者本人又は本人の同意を得た代理人が記載したものであるか否かを筆跡によって確認することができるので、高い安心感をもって当該システムを利用することができる。
【００３５】
このように、本発明によれば、操作者に高い安心感を持たせつつ、電子化した問診票及び同意書を含む患者情報の内容の真正性を確実に担保することができる。
【図面の簡単な説明】
【００３６】
【図１】本実施形態のシステムの全体構成の一例を示す構成図。
【図２Ａ】本実施形態のシステムの患者情報データベースの構成の一例を示す図。
【図２Ｂ】本実施形態のシステムが参照する変換テーブルの一例を示す図。
【図３】本実施形態のシステムの処理の流れの一例を示すフローチャート。
【図４Ａ】本実施形態のシステムの新規作成処理の流れの一例を示すフローチャート。
【図４Ｂ】本実施形態のシステムの修正処理の流れの一例を示すフローチャート。
【図４Ｃ】本実施形態のシステムの修正処理の流れの一例を示すフローチャート。
【図５Ａ】本実施形態のシステムの表示・手入力処理の流れの一例を示すフローチャート。
【図５Ｂ】本実施形態のシステムの印刷・読込処理の流れの一例を示すフローチャート。
【発明を実施するための形態】
【００３７】
まず、図１、図２を参照して、本実施形態の患者の関与する文書を電子的に扱うシステムの構成について説明する。
【００３８】
本実施形態のシステムは、サーバ１０、操作端末２０により構成されており、サーバ１０と操作端末２０とは、通信ネットワーク３０により相互に通信可能に接続されている。
【００３９】
サーバ１０は、サーバ記憶部１００、サーバ制御部１１０、サーバ通信部１２０を有するコンピューターである。
【００４０】
サーバ記憶部１００は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されており、患者情報データベース１０１、書式レイアウトデータベース１０２、及びサーバ制御部１１０の処理結果を記憶する。
【００４１】
患者情報データベース１０１は、患者ごとの問診内容又は同意内容を含む患者情報を時系列で格納するデータベースであり、図２Ａに示すように例えば患者ＩＤ、書式ＩＤ、日付、時間、内容、読込画像、撮像画像、電子署名、タイムスタンプの情報を含んでいる。
【００４２】
患者ＩＤは、患者を一意に識別するＩＤであり、例えばアルファベット、数字及び記号の組み合わせで構成される。
【００４３】
書式ＩＤは、患者情報に対応する書式を一意に識別するＩＤであり、例えばアルファベット、数字及び記号の組み合わせで構成される。
【００４４】
日付は、当該患者情報が記憶された日の年月日であり、時間は、当該患者情報が記憶された時点の時分秒である。
【００４５】
内容は、患者情報に含まれるｎ個の情報の内容（内容１〜内容ｎ）であり、それぞれの内容の値は、例えばテキスト型、Ｙｅｓ／Ｎｏ型などの様々なデータ型で記憶されうる。
【００４６】
読込画像は、例えば読込部２１１が読み込んだ患者情報の画像を一意に識別するＩＤである。この場合、当該画像自体はサーバ記憶部の別の記憶領域に格納されている。あるいは読込画像として、例えば読込部２１１が読み込んだ患者情報の画像自体が記憶されていてもよい。
【００４７】
撮像画像は、撮像部２２０が撮像した操作者Ｕの画像（静止画像又は動画像）を一意に識別するＩＤである。この場合、当該画像自体はサーバ記憶部の別の記憶領域に格納されている。あるいは撮像画像として、例えば撮像部２２０が撮像した操作者Ｕの画像自体が記憶されていてもよい。また、撮像時の音声が取得可能である場合は、画像と共に音声が記憶されてもよい。
【００４８】
電子署名は、患者情報と撮像画像とを含む情報に付与された電子署名である。タイムスタンプは、当該患者情報が記憶された日時に認証局４０から取得されたタイムスタンプである。
【００４９】
書式レイアウトデータベース１０２は、患者情報データベース１０１に含まれる各患者情報を印刷及び表示する際の書式のレイアウトに関する情報であり、例えば各書式を一意に特定ずる書式ＩＤ、各書式のタイトル、各内容の見出し又は説明文など書式に含まれる文字の情報、各文字のフォント、各行の幅及び行間隔、各内容の配置（各内容の各書式のける印刷位置及び表示位置）を含んでいる。
【００５０】
サーバ制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバ制御部１１０は、一のプロセッサにより構成されてもよく、相互通信可能な複数のプロセッサにより構成されてもよい。サーバ制御部１１０は、所定のプログラムを読み込んで実行することにより、後述の演算処理を実行する検知部１１１として機能する。
【００５１】
検知部１１１は、電子署名とタイムスタンプとを用いて患者情報の改ざんの有無を検知するプログラムである。
【００５２】
サーバ通信部１２０は、有線の通信ケーブル又はＷｉ−Ｆｉ（登録商標）、Ｂｌｕｅｔｏｏｔｈ（登録商標）若しくは赤外線通信などの無線通信規格に対応した通信手段により通信ネットワーク３０と接続されている。
【００５３】
操作端末２０は、出力部２００、入力部２１０、撮像部２２０、端末制御部２３０、端末記憶部２４０、端末通信部２５０を有している。
【００５４】
出力部２００は、任意の患者の過去の患者情報を記憶手段から取得し、当該取得した患者情報を出力する機能を有しており、印刷部２０１及び表示部２０２により構成される。
【００５５】
印刷部２０１は、任意の患者の過去の患者情報を記憶手段から取得し、当該取得した患者情報を印刷することにより出力する機能を有するプリンターである。
【００５６】
表示部２０２は、操作端末２０が操作者Ｕに提示する情報を表示する部分であり、例えば液晶ディスプレイ、有機ＥＬディスプレイである。
【００５７】
入力部２１０は、操作者Ｕによる患者情報の入力を受け付ける機能を有しており、読込部２１１及び手入力受付部２１２により構成される。
【００５８】
読込部２１１は、印刷手段により印刷された患者情報を読み込む機能を有するスキャナーである。あるいは、撮像部２２０が読込部２１１としても機能することとしてもよい。あるいは、読込部２１１は、印刷部２０１であるプリンターと一体的に構成された複合機であり、読込部２１１は当該複合機の機能の一部として動作するように構成されていてもよい。
【００５９】
手入力受付部２１２は、操作者Ｕによる手入力を受け付ける機能を有する、例えばキーボード、マウス、タッチパッド、タッチパネル及びタッチペンその他のポインティングデバイス又はこれらのうち一つ以上の組み合わせである。
【００６０】
このように本構成のシステムは印刷部２０１及び表示部２０２、読込部２１１及び手入力受付部２１２を有しているので、電子化した問診票又は同意書を含む過去の患者情報を印刷して当該印刷された患者情報に物理的に問診内容又は同意内容の追加又は修正を行い当該修正又は追加後の問診票又は同意書を読み込ませる方法によっても、また電子化した問診票又は同意書を含む過去の患者情報をコンピューターのディスプレイなどに表示して当該表示された患者情報に電子的に問診内容又は同意内容の追加又は修正を行う方法によっても、問診内容又は同意内容の追加又は修正を行うことができる。
【００６１】
これにより、コンピューターの操作に慣れた方は電子的な方法で、コンピューターの操作が不得手な方は印刷物を介した物理的な方法で、それぞれ電子化した問診票又は同意書を含む患者情報について問診内容、同意内容の修正及び追加が容易にできる。
【００６２】
撮像部２２０は、操作者Ｕの静止画像又は動画像を撮像する機能を有するカメラである。
【００６３】
端末制御部２３０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。端末制御部２３０は、一のプロセッサにより構成されてもよく、相互通信可能な複数のプロセッサにより構成されてもよい。端末制御部２３０は、所定のプログラムを読み込んで実行することにより、後述の演算処理を実行する格納部２３１、表示制御部２３２として機能する。
【００６４】
格納部２３１は、患者情報と撮像部により撮像された画像とを含む情報に電子署名及びタイムスタンプを付与しサーバ記憶部１００に記憶させるプログラムである。
【００６５】
表示制御部２３２は、操作端末２０の各処理の結果を表示部２０２に表示させることより出力するプログラムである。
【００６６】
端末記憶部２４０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されており、端末制御部２３０の処理結果を記憶する。
【００６７】
端末通信部２５０は、有線の通信ケーブル又はＷｉ−Ｆｉ（登録商標）、Ｂｌｕｅｔｏｏｔｈ（登録商標）若しくは赤外線通信などの無線通信規格に対応した通信手段により通信ネットワーク３０と接続されている。
【００６８】
通信ネットワーク３０は、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
【００６９】
次に、図３〜５Ｂを用いて、本実施形態のシステムの処理内容について説明する。
【００７０】
操作端末２０の手入力受付部２１２は、処理を開始すると、まず操作者Ｕによる対象の患者の患者ＩＤの入力を受け付ける（図３／ＳＴＥＰ１００）。
【００７１】
そして、手入力受付部２１２は、操作者Ｕによる操作内容を指定する情報の入力を受け付ける（図３／ＳＴＥＰ２００）。操作内容とは、患者情報の新規作成又は患者情報の修正である。
【００７２】
そして、操作端末２０は、指定された操作内容が新規作成であるか否かを判定する（図３／ＳＴＥＰ３００）。
【００７３】
当該判定が肯定的である場合（図３／ＳＴＥＰ３００：Ｙｅｓ）、操作端末２０は、後述する新規作成処理（図３／ＳＴＥＰ４００）を実行して処理を終了する。
【００７４】
一方、当該判定が否定的である場合（図３／ＳＴＥＰ３００：Ｎｏ）、操作端末２０は、後述する修正処理（図３／ＳＴＥＰ５００）を実行して処理を終了する。
＜新規作成処理＞
新規作成処理を開始すると、操作端末２０の表示制御部２３２は、まず患者情報の書式の一覧を表示部２０２に表示する（図４Ａ／ＳＴＥＰ４０１）。患者情報の書式の一覧の表示にあたって、表示制御部２３２は、例えば端末記憶部２４０にあらかじめ記憶されている図２Ｂに示すようなテーブルを参照し、当該テーブルに格納されている各書式の名称（例えば「〇〇検査に関する同意書」、「問診票」など）を取得して、当該書式の名称を一覧として表示する。あるいは表示制御部２３２は、サーバ１０から患者情報の書式の一覧を取得することとしてもよい。
【００７５】
次に、手入力受付部２１２は、操作者Ｕによる作成する書式を指定する情報を受け付ける（図４Ａ／ＳＴＥＰ４０２）。手入力受付部２１２は、例えば書式の一覧に表示された書式の名称をクリック又はタップする操作者Ｕによる操作を認識することにより作成する書式を指定する情報を受け付ける。
【００７６】
そして、操作端末２０は、書式を指定する情報をサーバ１０に送信する（図４Ａ／ＳＴＥＰ４０３）。
【００７７】
サーバ１０は、操作端末２０から書式を指定する情報を受信し（図４Ａ／ＳＴＥＰ４１１）、書式を指定する情報に対応する書式レイアウトを操作端末２０に送信する（図４Ａ／ＳＴＥＰ４１２）。
【００７８】
書式を指定する情報に対応する書式レイアウトの送信にあたって、サーバ１０は、サーバ記憶部１００に記憶されている書式レイアウトデータベース１０２を参照し、書式レイアウトデータベース１０２に記憶されている書式のレイアウトの中から、操作端末２０から受信した書式を指定する情報に対応する書式レイアウトを取得する。
【００７９】
そして操作端末２０は、書式レイアウトをサーバ１０から受信する（図４Ａ／ＳＴＥＰ４２１）。
【００８０】
続いて手入力受付部２１２は、操作者Ｕによる出力方法の指定を受け付ける（図４Ａ／ＳＴＥＰ４２２）。出力方法とは、患者情報の印刷又は患者情報の表示である。
【００８１】
次に操作端末２０は、指定された出力方法が印刷であるか否かを判定する（図４Ａ／ＳＴＥＰ４２３）。
【００８２】
当該判定が否定的である場合（図４Ａ／ＳＴＥＰ４２３：Ｎｏ）、操作端末２０は、後述する表示・手入力処理（図４Ａ／ＳＴＥＰ６００）を実行して処理を終了する。
【００８３】
一方、当該判定が肯定的である場合（図４Ａ／ＳＴＥＰ４２３：Ｙｅｓ）、操作端末２０は、後述する印刷・手入力処理（図４Ａ／ＳＴＥＰ７００）を実行して処理を終了する。
＜修正処理＞
修正処理を開始すると、操作端末２０は、ＳＴＥＰ１００にて受け付けた患者ＩＤをサーバ１０に送信する（図４Ｂ／ＳＴＥＰ５０１）。
【００８４】
そして、サーバ１０は、操作端末２０から患者ＩＤを受信し（図４Ｂ／ＳＴＥＰ５１１）、患者情報データベース１０１から対象の患者の過去の患者情報を取得し、当該患者の患者情報の一覧を操作端末２０に送信する（図４Ｂ／ＳＴＥＰ５１２）。
【００８５】
患者情報の一覧の送信にあたって、サーバ１０は、サーバ記憶部１００に記憶されている患者情報データベース１０１を参照し、患者情報データベース１０１に記憶されている患者情報のうち、患者ＩＤがＳＴＥＰ５１１にて操作端末２０から受信した患者ＩＤと一致する患者情報を抽出する。そしてサーバ１０は、例えば当該抽出された患者情報の中から書式ＩＤごとに日付及び時間が最も新しい患者情報を選択して、当該選択された患者情報の患者ＩＤ、書式ＩＤ、日付及び時間に基づいて患者情報の一覧を作成し、操作端末２０に送信する。
【００８６】
そして操作端末２０の表示制御部２３２は、サーバ１０から対象の患者の過去の患者情報の一覧を受信し、表示部２０２に表示する（図４Ｂ／ＳＴＥＰ５２１）。
【００８７】
対象の患者の過去の患者情報の一覧の表示にあたって、表示制御部２３２は、例えば端末記憶部２４０にあらかじめ記憶されている図２Ｂに示すようなテーブルを参照し、サーバ１０から受信した過去の患者情報の一覧に含まれる書式ＩＤごとに、当該書式ＩＤに対応する書式の名称を取得し、当該取得した書式の名称を一覧として表示する。
【００８８】
続いて、手入力受付部２１２は、修正する患者情報を指定する情報を受け付ける（図４Ｂ／ＳＴＥＰ５２２）。手入力受付部２１２は、例えば過去の患者情報の一覧に表示された書式の名称をクリック又はタップする操作者Ｕによる操作を認識することにより修正する患者情報を指定する情報を受け付ける。
【００８９】
そして操作端末２０は、修正する患者情報を指定する情報をサーバ１０に送信する（図４Ｂ／ＳＴＥＰ５２３）。修正する患者情報を指定する情報とは、例えば、患者ＩＤ、書式ＩＤ、日付及び時間である。
【００９０】
サーバ１０は、操作端末２０から修正する患者情報を指定する情報を受信し（図４Ｂ／ＳＴＥＰ５３１）、修正する患者情報及び当該修正する患者情報に対応する書式レイアウトを操作端末２０に送信する（図４Ｂ／ＳＴＥＰ５３２）。
【００９１】
修正する患者情報及び当該修正する患者情報に対応する書式レイアウトの送信にあたって、サーバ１０は、例えばＳＴＥＰ５１２にて選択された患者情報から、操作端末２０から受信した情報に含まれる患者ＩＤ、書式ＩＤ、日付及び時間に対応する患者情報を取得し、さらに、書式レイアウトデータベース１０２を参照して操作端末２０から受信した情報に含まれる書式ＩＤに対応する書式レイアウトを取得して送信する。
【００９２】
そして、操作端末２０は、サーバ１０から修正する患者情報及び当該修正する患者情報に対応する書式レイアウトを受信する（図４Ｃ／ＳＴＥＰ５４１）。
【００９３】
次に、手入力受付部２１２は、操作者Ｕによる患者情報の出力方法を指定する情報を受け付ける（図４Ｃ／ＳＴＥＰ５４２）。患者情報の出力方法とは、印刷又は表示である。
【００９４】
そして操作端末２０は、指定された出力方法が「印刷」であるか否かを判定する（図４Ｃ／ＳＴＥＰ５４３）。
【００９５】
当該判定が否定的である場合（図４Ｃ／ＳＴＥＰ５４３：Ｎｏ）、操作端末２０は後述する表示・手入力処理を実行し（図４Ｃ／ＳＴＥＰ６００）、処理を終了する。
【００９６】
一方当該判定が肯定的である場合（図４Ｃ／ＳＴＥＰ５４３：Ｙｅｓ）、操作端末２０は後述する印刷・読込処理を実行し（図４Ｃ／ＳＴＥＰ７００）、処理を終了する。
＜表示・手入力処理＞
表示・手入力処理を開始すると、操作端末２０は、まずＳＴＥＰ２００で受け付けた操作内容が「新規作成」であるか否かを判定する（図５Ａ／ＳＴＥＰ６０１）。
【００９７】
当該判定が否定的である場合（図５Ａ／ＳＴＥＰ６０１：Ｎｏ）、操作端末２０は、さらに、修正する患者情報が手入力されたものであるか否かを判定する（図５Ａ／ＳＴＥＰ６０２）。
【００９８】
操作端末２０は、例えばＳＴＥＰ５４１にて受信した患者情報に読込画像が含まれているか否かにより、修正する患者情報が手入力されたものであるか否を判定する。すなわち、操作端末２０は、ＳＴＥＰ５４１にて受信した患者情報に読込画像が含まれていれば、修正する患者情報が手入力されたものでないと判定し、一方、ＳＴＥＰ５４１にて受信した患者情報に読込画像が含まれていなければ、修正する患者情報が手入力されたものであると判定する。
【００９９】
そして、当該判定が否定的である場合（図５Ａ／ＳＴＥＰ６０２：Ｎｏ）、操作端末２０は、第２手入力手段を起動する。第２手入力手段とは、修正する患者情報に含まれる読込画像を修正することができる機能である。
【０１００】
一方、指定された操作内容が「新規作成」である場合（図５Ａ／ＳＴＥＰ６０１：Ｙｅｓ）、又は修正する患者情報が手入力されたものである場合（図５Ａ／ＳＴＥＰ６０２：Ｙｅｓ）、操作端末２０は、第１手入力手段を起動する（図５Ａ／ＳＴＥＰ６０４）。第１手入力手段とは、修正する患者情報に含まれる内容（内容１〜内容ｎ）を修正することができる機能である。
【０１０１】
そして、手入力受付部２１２は、患者情報の書式を表示部２０２に表示する（図５Ａ／ＳＴＥＰ６０５）。
【０１０２】
手入力受付部２１２は、ＳＴＥＰ２００にて入力された操作内容が「新規作成」である場合はＳＴＥＰ４２１にて受信された書式レイアウトに応じて、そしてＳＴＥＰ２００にて入力された操作内容が「修正」である場合はＳＴＥＰ５４１にて受信された修正する患者情報及び修正する患者情報に対応する書式レイアウトに応じて、患者情報の書式を表示する。
【０１０３】
すなわち手入力受付部２１２は、当該操作内容が「新規作成」である場合は内容（内容１〜内容ｎ）の入力等がなされていない状態の書式を表示し、当該操作内容が「修正」である場合は当該受信された患者情報の内容（内容１〜内容ｎ）が入力された状態の書式を表示する。
【０１０４】
そして、手入力受付部２１２は、操作者Ｕによる患者情報の手入力を受け付ける（図５Ａ／ＳＴＥＰ６０６）ことにより、表示された患者情報に対する操作者Ｕによる情報の追加又は修正に係る入力を受け付ける。
【０１０５】
手入力の手法としては、キーボードを用いた文字入力、マウス、タッチパッド、タッチパネル及びタッチペンその他のポインティングデバイスを用いた文字や入力及びプルダウンリストからの選択、チェックボックスのチェックなど様々な手法を採用しうる。
【０１０６】
例えば、手入力受付部２１２は、タッチパネルとタッチペンとの組み合わせであり、操作者Ｕによる文字の入力を受け付け、当該受け付けた文字の筆跡を患者情報の一部として認識するように構成されていてもよい。
【０１０７】
これにより、操作者Ｕである患者本人又は本人の同意を得た代理人は、当該患者情報が患者本人又は本人の同意を得た代理人が記載したものであるか否かを筆跡によって確認することができるので、高い安心感をもって当該システムを利用することができる。
【０１０８】
なお、筆跡とは、例えば筆順又は筆圧である。あるいは、文字全体の形状（縦長、横長、台形、左右一方に傾いているなど）、止め・はね・はらいの特徴（長さ、角度、太さ、かすれ度合い）その他の文字の特徴が筆跡として認識されてもよい。
【０１０９】
そして撮像部２２０は、操作者Ｕである患者本人又は本人の同意を得た代理人の画像を撮像する（図５Ａ／ＳＴＥＰ６０７）。撮像部２２０は、例えば患者情報の手入力をしている又は患者情報の手入力を終えた患者の顔写真、あるいは患者情報の入力を開始してから終了するまでの患者の動作の全部又は一部の動画を撮像する。
【０１１０】
続いて格納部２３１は、ＳＴＥＰ６０６にて入力された患者情報とＳＴＥＰ６０７にて撮像された画像に電子署名及びタイムスタンプを付与してサーバ１０に送信する（図５Ａ／ＳＴＥＰ６０８）。
【０１１１】
これにより、患者情報を作成した後に当該患者情報が改ざんされていないことを保証できるのみならず、患者本人又は本人の同意を得た代理人等が当該患者情報を入力したことも併せて保証することが可能となるので、患者情報の真正性を確実に担保することができる。
【０１１２】
また、タイムスタンプを付与することにより、当該患者情報が記録された日時がいつであるかを正確に記録することができ、当該日時から当該患者情報が改ざんされていないことを保証することが可能となるので、患者情報の真正性をより確実に担保することができる。
【０１１３】
格納部２３１は、電子署名を付与する方法として、操作者Ｕである患者本人又はその同意を得た代理人の電子証明書に含まれる情報を用いる方法、操作端末２０又はサーバ１０に格納された電子証明書に含まれる情報を用いる方法など、様々な方法を採用しうる。
【０１１４】
また格納部２３１は、例えば通信ネットワーク３０を介してタイムスタンプ認証局４１０からタイムスタンプを取得する。
【０１１５】
そして、サーバ１０は、患者情報及び画像に電子署名及びタイムスタンプを付与した情報を操作端末２０から受信し、当該受信した情報を患者情報データベース１０１に記憶して（図５Ａ／ＳＴＥＰ６１１）、処理を終了する。
＜印刷・読込処理＞
印刷・読込処理を開始すると、まず印刷部２０１は、患者情報の書式を印刷する（図５Ｂ／ＳＴＥＰ６０１）。
【０１１６】
印刷部２０１は、ＳＴＥＰ２００にて入力された操作内容が「新規作成」である場合はＳＴＥＰ４２１にて受信された書式レイアウトに応じて、そしてＳＴＥＰ２００にて入力された操作内容が「修正」である場合はＳＴＥＰ５４１にて受信された修正する患者情報及び修正する患者情報に対応する書式レイアウトに応じて、患者情報の書式を印刷する。
【０１１７】
すなわち印刷部２０１は、当該操作内容が「新規作成」である場合は内容（内容１〜内容ｎ）の記載等がなされていない状態の書式を印刷し、当該操作内容が「修正」である場合は当該受信された患者情報の内容（内容１〜内容ｎ）が印字された状態の書式を印刷する。
【０１１８】
また、印刷部２０１は、バーコード又は二次元コードなどの識別情報を書式に印字する。当該識別情報には、患者ＩＤ及び書式ＩＤを示す情報が含まれている。
【０１１９】
そして、操作者Ｕである患者本人又は患者の同意を得た代理人が当該印刷された書式に手書きで各内容に対応する情報を記載する。
【０１２０】
そして読込部２１１は、患者情報の書式を読み込む（図５Ｂ／ＳＴＥＰ７０２）ことにより、印刷された患者情報に対する操作者Ｕによる情報の追加又は修正に係る入力を受け付ける。
【０１２１】
なおこのとき、読込部２１１は、書式全体を画像として読み込むと同時に、書式に含まれる識別情報を読み込んで当該識別情報に含まれる患者ＩＤ及び書式ＩＤを示す情報を取得する。
【０１２２】
そして、操作端末２０は、読み込んだ患者情報の画像に電子署名及びタイムスタンプを付与してサーバ１０に送信する（図５Ｂ／ＳＴＥＰ７０３）。このとき操作端末２０は、ＳＴＥＰ７０２にて書式に含まれる識別情報から取得された患者ＩＤ及び書式ＩＤを示す情報を併せてサーバ１０に送信する。
【０１２３】
そして、サーバ１０は、患者情報の画像に電子署名及びタイムスタンプを付与した情報と患者ＩＤ及び書式ＩＤとを操作端末２０から受信し、当該受信した情報を患者情報データベース１０１に記憶して（図５Ｂ／ＳＴＥＰ７１１）、処理を終了する。
＜改ざん検知処理＞
サーバ１０の検知部１１１は、所定の頻度又は随時にサーバ記憶部１００内の患者情報データベース１０１に記憶されている各患者情報について、各患者情報の電子署名及びタイムスタンプを用いて、改ざんの有無を検知する。
【０１２４】
例えば所定の頻度（１日ごと、１週間ごと、１月ごとなど。当該頻度は適宜に変更しうる。）で患者情報データベース１０１に記憶されているすべて又は一部の患者情報の電子署名及びタイムスタンプを用いて、改ざんの有無を検知する。
【０１２５】
この場合、サーバ１０は、患者情報の改ざんがあったことが検知された際には、その旨を知らせる警告情報を、例えばサーバ１０の表示装置に表示することにより、又は操作端末２０の表示部２０２に表示することにより、あるいはサーバ１０の管理を行う担当者に電子メールを送ることにより、報知することとしてもよい。
【０１２６】
これにより、操作者は、当該患者情報が記録された日時から当該患者情報が改ざんされていないことを随時に簡便に確認することができるので、安心して当該システムを利用することができる。
【０１２７】
あるいは例えばサーバ１０は、修正処理中の「患者情報データベース１０１から対象の患者の過去の患者情報を抽出し、当該患者の患者情報の一覧を操作端末２０に送信」する処理（図４Ｂ／ＳＴＥＰ５１２）において患者情報データベース１０１から対象の患者の過去の患者情報を抽出した際に、各抽出された患者情報について改ざんの有無を検知することとしてもよい。
【０１２８】
この場合、例えば表示制御部２３２は、「対象の患者の過去の患者情報の一覧を受信し、表示」する処理（図４Ｂ／ＳＴＥＰ５２１）において、改ざんがあったことが検知された患者情報についてはその旨を知らせる警告表示を、改ざんがないことが検知された患者情報についてはその旨を知らせる表示を、患者情報の一覧に含んで表示してもよい。
【０１２９】
以上、本発明の実施形態について説明したが、本発明はこれに限定されない。
【０１３０】
例えば、検知部１１１は電子署名のみを用いて患者情報の改ざんの有無を検知するように構成されていてもよい。また、検知部１１１は、操作端末２０が有することとし、患者情報の改ざんの有無の検知を操作端末２０にて実行することとしてもよい。
【０１３１】
電子署名の付与及びタイムスタンプの付与の何れか一方又は両方は、サーバ１０により実行されることとしてもよい。
【符号の説明】
【０１３２】
１０…サーバ、２０…操作端末、１００…サーバ記憶部、２００…出力部、２０１…印刷部、２０２…表示部、２１０…入力部、２１１…読込部、２１２…手入力受付部、２２０…撮像部、２３１…格納部、２３２…表示制御部。
【図１】
2020052642.tif 000003
【図２Ａ】
2020052642.tif 000004
【図２Ｂ】
2020052642.tif 000005
【図３】
2020052642.tif 000006
【図４Ａ】
2020052642.tif 000007
【図４Ｂ】
2020052642.tif 000008
【図４Ｃ】
2020052642.tif 000009
【図５Ａ】
2020052642.tif 000010
【図５Ｂ】
2020052642.tif 000011